(57)【要約】【課題】  遠隔操作式排水栓装置が取り付けられる槽体について、遠隔操作式排水栓装置を取り付ける、取り付けないに関わらず共通の浴槽が使用できる遠隔操作式排水栓装置、また施工が容易な遠隔操作式排水栓装置を提供する。【解決手段】  槽体内の排水を行う排水口の開閉を、排水口から離れた場所に設けた操作部にて行う遠隔操作式排水栓装置において、槽体の底部に排水口を、槽体Ｓ側面上方にオーバーフロー排水口をそれぞれ設け、排水口の開閉を行う遠隔操作式排水栓装置の操作部を、オーバーフロー排水口に設ける。また、上記遠隔操作式排水栓装置において、操作部に加えられた操作を排水口に伝達するための操作伝達部材を、レリースワイヤによって構成する。【選択図】図１
2010116711.tif 000002
【特許請求の範囲】
【請求項１】
槽体Ｓ内の排水を行う排水口１の開閉を、排水口１から離れた場所に設けた操作部５にて行う遠隔操作式排水栓装置において、
槽体Ｓの底部に排水口１を、槽体Ｓ側面上方にオーバーフロー排水口２をそれぞれ設け、
排水口１の開閉を行う遠隔操作式排水栓装置の操作部５を、オーバーフロー排水口２に設けたことを特徴とする、遠隔操作式排水栓装置。
【請求項２】
上記遠隔操作式排水栓装置において、操作部５に加えられた操作を排水口１に伝達するための操作伝達部材を、
筒状にして側面方向に可撓性を、軸方向に剛性を備えたアウターチューブ３ａと、
アウターチューブ３ａ内に進退自在に収納される、側面方向に可撓性を、軸方向に剛性を備えたインナーワイヤ３ｂと、
からなるレリースワイヤ３によって構成した事を特徴とする、上記請求項１に記載の遠隔操作式排水栓装置。
【請求項３】
上記遠隔操作式排水栓装置において、
オーバーフロー排水口２から排水口１に排水を行うためのオーバーフロー排水管４を設けると共に、
レリースワイヤ３を、操作部５から排水口１まで、オーバーフロー排水管４内を介して配置したことを特徴とする、請求項２に記載の遠隔操作式排水栓装置。
【請求項４】
上記遠隔操作式排水栓装置において、
オーバーフロー排水口２から排水口１に排水を行うためのオーバーフロー排水管４を設けると共に、
レリースワイヤ３を、操作部５から排水口１の間に、オーバーフロー排水管４内に設けたガイド管６を介し、且つ少なくともガイド管６内では排水に対して水密的となるように配置したことを特徴とする、請求項２又は請求項３に記載の遠隔操作式排水栓装置。
【請求項５】
上記遠隔操作式排水栓装置において、
オーバーフロー排水口２から排水口１に排水を行うためのオーバーフロー排水管４を設けると共に、
レリースワイヤ３を、操作部５から排水口１の間に、オーバーフロー排水管４に対し別途設けたガイド管６を介し、且つ少なくともガイド管６内では排水に対して水密的となるように配置したことを特徴とする、請求項２に記載の遠隔操作式排水栓装置。
【請求項６】
上記遠隔操作式排水栓装置において、
操作部５を、
有底筒状にして溢れ水の流入するオーバーフロー排水口２に連通する操作部本体７と、
操作部本体７の側面に設けられ、オーバーフロー排水管４が接続されるオーバーフロー排出口８と、
一端がオーバーフロー排水口２内に設けられてレリースワイヤ３と水密的に接続し、他端がオーバーフロー排水口２内部で屈曲して操作部本体７の側面を貫通して設けられた、ガイド管６が接続されるガイド筒９と、
レリースワイヤ３のアウターチューブ３ａ端部を、オーバーフロー排水口２内のガイド筒９端部に水密的に固定する固定構造と、
インナーワイヤ３ｂの操作部５側端部に接続される操作ボタン１０と、
から構成したことを特徴とする、請求項４に記載の遠隔操作式排水栓装置。
【請求項７】
上記遠隔操作式排水栓装置において、
オーバーフロー排出口８とガイド筒９とが、操作部本体７外の端部において同一の方向を向いて設けられてなることを特徴とする、請求項６に記載の遠隔操作式排水栓装置。
【請求項８】
上記遠隔操作式排水栓装置において、
操作部本体７が正面視円形であると共に、
オーバーフロー排出口８が操作部本体７の側面に対し、接線位置に設けられてなることを特徴とする、請求項６又は請求項７に記載の遠隔操作式排水栓装置。
【請求項９】
上記遠隔操作式排水栓装置において、
正面視における、操作部本体７に接する部分のオーバーフロー排出口８の内径の幅が、
操作部本体７の円筒の内径の半径以上であることを特徴とする、請求項８に記載の遠隔操作式排水栓装置。
【発明の詳細な説明】
【技術分野】
【０００１】
本発明は、浴槽や流し台、洗面台等の排水口に使用される、遠隔操作式排水栓装置の改良に関するものであって、さらに詳しくは、遠隔操作式排水栓装置の操作部の改良に関するものである。
【背景技術】
【０００２】
以下に従来の遠隔操作式排水栓装置の一例を、図面を参照しつつ説明する。
図１３に示した従来の遠隔操作式排水栓装置は、以下に記載する、槽体としての浴槽と、排水栓本体、Ｔ字管部材、弁体、操作部、ガイド管、レリースワイヤ、保持機構部、ワイヤー支持具、等からなる遠隔操作式排水栓装置と、から構成される。
浴槽は、上方が開口した箱体であって、底部及び上方の開口の周縁に取付孔を開口する。
排水栓本体は、外側面に雄ネジを、内部に排水口を備え、上端に外側方向に突出したフランジを備えた円筒状の部材であり、内部に後述するワイヤー支持具を配置・固定する固定構造を設けた排水口を備えてなる。
Ｔ字管部材は円筒形状にして、上方に排水栓本体の雄ネジと螺合する雌ネジを、下方に排水を排出する排出口を、側面に後述するレリースワイヤを挿通する挿通部を、それぞれ備えてなる。
弁体は、後述する保持機構部の軸部の先端部分と係合する、排水口の上部に配置される部材であって、上昇／下降することで、排水口を開口／覆って閉口させる部材である。
レリースワイヤは、四フッ化エチレンなどの樹脂から構成される円筒状のアウターチューブと、アウターチューブ内に進退自在に配置される、コイル状に形成された金属線からなるインナーワイヤと、インナーワイヤをアウターチューブに対して一方向（操作部側）に付勢する戻りスプリングと、から構成される。
ワイヤー支持具は、例えばノック式ボールペンの芯の進退の保持機構として周知であるスラストロック機構（図示せず）を内蔵した保持機構部を備えた部材であって、施工完了時排水栓本体の排水口内に係合固定される部材である。また、保持機構部は内部に軸部を有し、保持機構部の下端にレリースワイヤが、保持機構部の軸部の上端に弁体が、それぞれ接続される。施工完了時、インナーワイヤが進退する都度、保持機構の軸部が上昇した状態で固定／固定を解除して降下、を繰り返すことで弁体を昇降させ、排水口の開閉を行うことができる。
操作部は、弁体を遠隔的に操作する部材であって、円筒状の操作部本体と、レリースワイヤのインナーワイヤ端部に接続され、操作部本体内を上下に昇降する操作ボタンとから構成される。
レリースワイヤは、四フッ化エチレンなどの樹脂から構成される円筒状のアウターチューブ、コイル状に形成された金属線から成るインナーワイヤから構成され、インナーワイヤはアウターチューブ内に進退自在に配置される。また、当該レリースワイヤの操作部側端部には保持機構部及びスプリングを備えて成る。
ガイド管は可撓性を備えたホース管であって、一端は操作部本体に、他端はＴ字管部材の挿通部に、それぞれ水密的に接続される。
【０００３】
以上のように構成した従来例の遠隔操作式排水栓装置は、以下のようにして浴槽に施工・取り付けされる。
まず工場等において、ガイド管の一端を操作部本体に、他端をＴ字管部材の挿通部に、それぞれ水密的に接続し、この状態にて出荷する。
次に、施工現場において、浴槽の上方の取付孔に操作部本体を取り付け、また底面の取付孔に排水栓本体を挿通してＴ字管部材と螺合させて、浴槽に各部材を取り付け固定する。
そして、操作部本体内部にレリースワイヤを挿入し、操作部本体、ガイド管、挿通部の順にレリースワイヤを通過させて、レリースワイヤの一端が排水口内に飛び出すようにする。
その後、排水口内のレリースワイヤをペンチなどで引き出し、レリースワイヤ先端とワイヤー支持具を、インナーワイヤとワイヤー支持具の保持機構部の軸部下端が対向するように接続固定し、ワイヤー支持具を排水口内の固定構造と係合固定させて排水口内に配置・固定する。
更にワイヤー支持具の軸部上端に弁体を、操作部のレリースワイヤのインナーワイヤ端部に操作ボタンを、それぞれ係合固定させて、取付が終了する。
【０００４】
前記のように取り付けられた従来例の遠隔操作式排水栓装置は、以下のように操作することで、遠隔操作により排水口を開閉できる。
まず弁体が降下し、排水口が閉口している状態とする。この状態において排水口からは離間した、操作部本体内にある操作ボタンに押し込み操作を加えると、レリースワイヤのインナーワイヤが排水口側へ前進し、インナーワイヤの対向位置にあるワイヤー支持具の軸部下端を押し上げる。このため軸部に係合している弁体も併せて上昇し、排水口が開口する。操作ボタンの押し込み操作を解除すると、レリースワイヤのインナーワイヤは戻りスプリングの作用により操作部側に後退する。そして、軸部が押し上げられたことで、ワイヤー支持具の保持機構部が動作し、軸部が上昇した状態が維持され、排水口の開口状態が維持される。
この状態から更に操作ボタンに押し込み操作を行うと、インナーワイヤの対向位置にあるワイヤー支持具の軸部下端が再度押し上げられ、保持機構部の軸部の上昇状態の維持が解除されて、軸部と弁体とが自重により降下し、弁体が排水口を閉塞して当初の閉口状態に戻る。
以後、同様の操作を繰り返すことで、遠隔操作的に、排水口の開口／閉口を行うことができ、開口時には浴槽内の排水を排出することができる。
【０００５】
【特許文献１】特開２００４−１９１１２
【発明の開示】
【発明が解決しようとする課題】
【０００６】
しかしながら上記従来例には以下のような問題点があった。
上記のような遠隔操作式排水栓装置を施工するためには、操作部の取り付けを行う為に専用の開口を設ける必要がある。
この為、遠隔操作式排水栓装置を取り付ける浴槽と、遠隔操作式排水栓装置を取り付けない浴槽について別々の部材管理を行う必要がある。特に浴槽は日常扱う中では比較的大きな部材であり、その管理にも手間が掛かるため、なるべく種類の増加は避けたい部材であり、できれば遠隔操作式排水栓装置を取り付ける、取り付けないに関わらず共通の浴槽が使用できる構造が求められていた。
本発明は上記目的に鑑み考案されたものであり、浴槽や流し台、洗面台等の創大意用いられる遠隔操作式排水栓装置において、遠隔操作式排水栓装置を取り付けない槽体と取り付ける槽体とを好適に共用できるようにした遠隔操作式排水栓装置に関するものである。
【課題を解決するための手段】
【０００７】
請求項１に記載の本発明は、槽体Ｓ内の排水を行う排水口１の開閉を、排水口１から離れた場所に設けた操作部５にて行う遠隔操作式排水栓装置において、槽体Ｓの底部に排水口１を、槽体Ｓ側面上方にオーバーフロー排水口２をそれぞれ設け、排水口１の開閉を行う遠隔操作式排水栓装置の操作部５を、オーバーフロー排水口２に設けたことを特徴とする、遠隔操作式排水栓装置である。
【０００８】
請求項２に記載の本発明は、上記遠隔操作式排水栓装置において、操作部５に加えられた操作を排水口１に伝達するための操作伝達部材を、筒状にして側面方向に可撓性を、軸方向に剛性を備えたアウターチューブ３ａと、アウターチューブ３ａ内に進退自在に収納される、側面方向に可撓性を、軸方向に剛性を備えたインナーワイヤ３ｂと、からなるレリースワイヤ３によって構成した事を特徴とする、上記段落０００７に記載の遠隔操作式排水栓装置である。
【０００９】
請求項３に記載の本発明は、上記遠隔操作式排水栓装置において、オーバーフロー排水口２から排水口１に排水を行うためのオーバーフロー排水管４を設けると共に、レリースワイヤ３を、操作部５から排水口１まで、オーバーフロー排水管４内を介して配置したことを特徴とする、上記段落０００８に記載の遠隔操作式排水栓装置である。
【００１０】
請求項４に記載の本発明は、上記遠隔操作式排水栓装置において、オーバーフロー排水口２から排水口１に排水を行うためのオーバーフロー排水管４を設けると共に、レリースワイヤ３を、操作部５から排水口１の間に、オーバーフロー排水管４内に設けたガイド管６を介し、且つ少なくともガイド管６内では排水に対して水密的となるように配置したことを特徴とする、上記段落０００８又は段落０００９に記載の遠隔操作式排水栓装置である。
【００１１】
請求項５に記載の本発明は、上記遠隔操作式排水栓装置において、オーバーフロー排水口２から排水口１に排水を行うためのオーバーフロー排水管４を設けると共に、レリースワイヤ３を、操作部５から排水口１の間に、オーバーフロー排水管４に対し別途設けたガイド管６を介し、且つ少なくともガイド管６内では排水に対して水密的となるように配置したことを特徴とする、上記段落０００８に記載の遠隔操作式排水栓装置である。
【００１２】
請求項６に記載の本発明は、上記遠隔操作式排水栓装置において、操作部５を、有底筒状にして溢れ水の流入するオーバーフロー排水口２に連通する操作部本体７と、操作部本体７の側面に設けられ、オーバーフロー排水管４が接続されるオーバーフロー排出口８と、一端がオーバーフロー排水口２内に設けられてレリースワイヤ３と水密的に接続し、他端がオーバーフロー排水口２内部で屈曲して操作部本体７の側面を貫通して設けられた、ガイド管６が接続されるガイド筒９と、レリースワイヤ３のアウターチューブ３ａ端部を、オーバーフロー排水口２内のガイド筒９端部に水密的に固定する固定構造と、インナーワイヤ３ｂの操作部５側端部に接続される操作ボタン１０と、から構成したことを特徴とする、上記段落００１０に記載の遠隔操作式排水栓装置である。
【００１３】
請求項７に記載の本発明は、上記遠隔操作式排水栓装置において、オーバーフロー排出口８とガイド筒９とが、操作部本体７外の端部において同一の方向を向いて設けられてなることを特徴とする、上記段落００１２に記載の遠隔操作式排水栓装置である。
【００１４】
請求項８に記載の本発明は、上記遠隔操作式排水栓装置において、操作部本体７が正面視円形であると共に、オーバーフロー排出口８が操作部本体７の側面に対し、接線位置に設けられてなることを特徴とする、上記段落００１２又は上記段落００１３に記載の遠隔操作式排水栓装置である。
【００１５】
請求項９に記載の本発明は、上記遠隔操作式排水栓装置において、正面視における、操作部本体７に接する部分のオーバーフロー排出口８の内径の幅が、操作部本体７の円筒の内径の半径以上であることを特徴とする、上記段落００１４に記載の遠隔操作式排水栓装置である。
【発明の効果】
【００１６】
本発明の遠隔操作式排水栓装置は上記のように構成したため、以下のような優れた効果を奏する。
１）請求項１に記載の本発明では、槽体に設けられた遠隔操作式排水栓装置の操作部を、オーバーフロー排水口に配置したことで、槽体に操作部を取り付けるための開口を設ける必要が無くなり、遠隔操作式排水栓装置を取り付ける槽体、取り付けない槽体のそれぞれの共通化を行うことができた。
２）請求項２に記載の本発明では、操作部に加えた操作を排水口まで伝達する操作伝達部材を、レリースワイヤから構成したことによって、操作伝達部材を金属棒とした場合等と比べ、施工性が向上した。
３）請求項３に記載の本発明では、レリースワイヤを操作部から弁体まで配置する場合に、オーバーフロー配管を介してレリースワイヤを配置したことによって、オーバーフロー配管をレリースワイヤのガイド管とする事ができ、メンテナンス性が高く、また施工作業の効率の良い構成とすることができる。
４）請求項４、請求項５に記載の本発明では、レリースワイヤを操作部から弁体まで配置する場合に、オーバーフロー配管とは別に設けたガイド管を介してレリースワイヤを配置したことによって、メンテナンス性が高く、またオーバーフロー排水によってレリースワイヤが劣化することのない構成とすることができる。
５）請求項６に記載の本発明では、操作部の具体的構成を明確にする事ができた。
６）請求項７に記載の本発明では、オーバーフロー排出口とガイド筒とが別に設けられた場合に、オーバーフロー排出口端部とガイド筒端部とを同じ方向とすることによって、誤った方向（操作部本体内に排水が残ってしまうような方向）に操作部本体が施工されることを防ぐことができる。
７）請求項８に記載の本発明では、操作部本体が正面視円形であると共に、オーバーフロー排出口が操作部本体の側面に対し接線位置に設けられてなることによって、操作部本体が、操作部本体の中心から重心に向かう方向が下方となる位置に配管された際に、排水が操作部本体内に留まることがない構成とすることができた。更に、請求項９に記載したように、オーバーフロー排出口の内径の幅が、オーバーフロー排水口の内径の半径以上であると、オーバーフロー排出口が直下方向となる位置に配管された際場合でも、排水が操作部本体内に留まることがない構成とすることができ、極めて衛生的である。
【実施例】
【００１７】
本発明の遠隔操作式排水栓装置の第一実施例を、図１乃至図５を参照しつつ説明する。
本発明の第一実施例は、以下に記載する、槽体Ｓとしての浴槽と、排水栓本体１１、Ｔ字管部材１３、弁体１４、オーバーフロー排水口２を備えた操作部５、ガイド管６、オーバーフロー排水管４、レリースワイヤ３、ワイヤー支持具１２、等からなる遠隔操作式排水栓装置と、から構成される。
浴槽は、上方が開口した箱体であって、底部及び側面上部に取付孔を開口する。
排水栓本体１１は、外側面に雄ネジを、内部に排水口１を備え、上端に外側方向に突出したフランジを備えた円筒状の部材であり、内部に後述するワイヤー支持具１２を配置・固定する固定構造を設けた排水口１を備えてなる。
Ｔ字管部材１３は円筒状にして、上方に排水栓本体１１の雄ネジと螺合する雌ネジを、下方に排水を排出する排出口１３ａを、側面に後述するレリースワイヤ３を挿通する挿通部１３ｂと後述するオーバーフロー排水管４が接続されるオーバーフロー接続口１３ｃを、それぞれ個別に備えてなる。
弁体１４は、後述する保持機構部１５の軸部の先端部分と係合する、排水口１の上部に配置される部材であって、上昇／下降することで、排水口１を開口／覆って閉口させる部材である。
レリースワイヤ３は、四フッ化エチレンなどの樹脂から構成される円筒状のアウターチューブ３ａと、アウターチューブ３ａ内に進退自在に配置される、コイル状に形成された金属線からなるインナーワイヤ３ｂと、インナーワイヤ３ｂをアウターチューブ３ａに対して一方向（操作部５側）に付勢する戻りスプリングと、から構成される。
ワイヤー支持具１２は、例えばノック式ボールペンの芯の進退の保持機構として周知であるスラストロック機構（図示せず）を内蔵した保持機構部１５を備えた部材であって、施工完了時排水栓本体１１の排水口１内に係合固定される部材である。また、保持機構部１５は内部に軸部を有し、保持機構部１５の下端にレリースワイヤ３が、保持機構部１５の軸部の上端に弁体１４が、それぞれ接続される。施工完了時、インナーワイヤ３ｂが進退する都度、保持機構部１５の軸部が上昇した状態で固定／固定を解除して降下、を繰り返すことで弁体１４を昇降させ、排水口１の開閉を行うことができる。
操作部５は、以下に記載したオーバーフロー排水栓１６と、操作部本体７と、操作ボタン１０と、から構成される。
オーバーフロー排水栓１６は、外側面に雄ネジを、内部にオーバーフロー排水口２を備え、上端に外側方向に突出したフランジを備えた円筒状の部材である。
操作部本体７は、有底円筒状にして、円筒部の内面にオーバーフロー排水栓１６の雄ネジと螺合する雌ネジを、側面に排水を排出するオーバーフロー排出口８と、レリースワイヤ３を挿通する、円筒部分７ａの中央から、側面方向に屈曲して円筒部分７ａの壁を貫通するガイド筒９をそれぞれ備えてなる。
更に上記操作部本体７のオーバーフロー排出口８は、図３に示したように、円筒部分７ａの軸方向視（施工時の正面方向視）において、オーバーフロー排出口８が操作部本体７の側面に対し接線位置に設けられてなると共に、操作部本体７の円筒部分７ａに接する部分のオーバーフロー排出口８の内径の幅、即ちオーバーフロー排出口８の内面の直径が、操作部本体７の円筒部分７ａの内面の半径よりも幅広となるように構成されている。
操作ボタン１０は、レリースワイヤ３のインナーワイヤ３ｂ端部に接続される円形の部材であって、オーバーフロー排水口２内部を、浴槽内の排水が、オーバーフロー排水口２を通過することが可能な状態を維持しつつ進退する。
ガイド管６は可撓性を備えたホース管であって、一端は操作部本体７のガイド筒９に、他端はＴ字管部材１３の挿通部１３ｂに、それぞれ水密的に接続される。
オーバーフロー排水管４は可撓性を備えたホース管であって、一端は操作部本体７のオーバーフロー排水口２に、他端はＴ字管部材１３のオーバーフロー接続口１３ｃに、それぞれ水密的に接続される。
【００１８】
以上のように構成した本発明の遠隔操作式排水栓装置は、以下のようにして浴槽に施工・取り付けされる。
まず工場等において、オーバーフロー排水管４の一端を操作部本体７のオーバーフロー排出口８に、他端をＴ字管部材１３のオーバーフロー接続口１３ｃに、それぞれ水密的に接続する。
同じく工場等において、ガイド管６の一端を操作部本体７のガイド筒９に、他端をＴ字管部材１３の挿通部１３ｂに、それぞれ水密的に接続し、この状態にて出荷する。
次に、施工現場において、浴槽の上方の取付孔にオーバーフロー排水栓１６を挿通して操作部本体７と螺合させ、また底面の取付孔に排水栓本体１１を挿通してＴ字管部材１３と螺合させて、排水栓本体１１のフランジとＴ字管部材１３、オーバーフロー排水口２のフランジと操作部本体７とでそれぞれの取付孔周縁を挟持するようにして取り付け固定する。
そして、オーバーフロー排水口２内に開口したガイド筒９端部からレリースワイヤ３を挿入し、オーバーフロー排水口２内、ガイド筒９、ガイド管６、挿通部１３ｂの順にレリースワイヤ３を通過させて、レリースワイヤ３の一端が排水口１内に飛び出すようにする。この時、操作部５側において、レリースワイヤ３の操作部５側端部が排水口１内のガイド管６端部と、排水口１側端部が接続部と、それぞれ水密的に接続固定するようにする。
その後、排水口１内のレリースワイヤ３をペンチなどで引き出し、レリースワイヤ３先端とワイヤー支持具１２を、インナーワイヤ３ｂとワイヤー支持具１２の保持機構部１５の軸部下端が対向するように接続固定し、ワイヤー支持具１２を排水口１内の固定構造と係合固定させて排水口１内に配置・固定する。
更にワイヤー支持具１２の軸部上端に弁体１４を、操作部５のレリースワイヤ３のインナーワイヤ３ｂ端部に操作ボタン１０を、それぞれ係合固定させて、取付が終了する。
【００１９】
前記のように取り付けられた第一実施例の遠隔操作式排水栓装置は、以下のように操作することで、遠隔操作により排水口１を開閉できる。
まず弁体１４が降下し、排水口１が閉口している状態とする。この状態において排水口１からは離間した、オーバーフロー排水口２内にある操作ボタン１０に押し込み操作を加えると、レリースワイヤ３のインナーワイヤ３ｂが排水口１側へ前進し、インナーワイヤ３ｂの対向位置にあるワイヤー支持具１２の軸部下端を押し上げる。このため軸部に係合している弁体１４も併せて上昇し、排水口１が開口する。操作ボタン１０の押し込み操作を解除すると、レリースワイヤ３のインナーワイヤ３ｂは戻りスプリングの作用により操作部５側に後退する。そして、軸部が押し上げられたことで、ワイヤー支持具１２の保持機構部１５が動作し、軸部が上昇した状態が維持され、排水口１の開口状態が維持される。
この状態から更に操作ボタン１０に押し込み操作を行うと、インナーワイヤ３ｂの対向位置にあるワイヤー支持具１２の軸部下端が再度押し上げられ、保持機構部１５の軸部の上昇状態の維持が解除されて、軸部と弁体１４とが自重により降下し、弁体１４が排水口１を閉塞して当初の閉口状態に戻る。
以後、同様の操作を繰り返すことで、遠隔操作的に、排水口１の開口／閉口を行うことができ、開口時には浴槽内の排水を排出することができる。
【００２０】
また、排水口１が閉口状態において、浴槽内に湯水が注がれて湯水が大量に溜まり、オーバーフロー排水口２の下端まで浴槽内の水面が上昇すると、以降、オーバーフロー排水口２から排水が排出され、排水口１の開口を行わなくとも、浴槽内の湯水が浴槽から溢れ出ることが無くなる。
【００２１】
通常、オーバーフロー排水管４においては図３に示したようにオーバーフロー排出口８が下方を向くように取付孔に取付固定する事が正しい取付方法である。しかし、本発明では、オーバーフロー排出口８が設けられている操作部本体７に、オーバーフロー排出口８とガイド筒９とが設けられているため、図４に示したように、操作部本体７を取付孔に対して回動自在にした際、操作部本体７が、円筒部分７ａの中心から操作部本体７の重心に向かう方向（操作部本体７を取付孔に対して回動自在としたとき重力によって自然に操作部本体７が安定する方向、以降この方向を「安定方向」と呼ぶ）に、誤って取付固定される場合がある。しかし、上記実施例では、オーバーフロー排出口８が操作部本体７の側面に対し接線位置に設けられてなると共に、操作部本体７の円筒部分７ａに接する部分のオーバーフロー排出口８の内径の幅、即ちオーバーフロー排出口８の内面の直径が、操作部本体７の円筒部分７ａの内面の半径よりも幅広となるように構成されているため、操作部本体７を、オーバーフロー排出口８が下方を向く方向に取り付けた場合でも、安定方向に取り付けた場合でも、操作部本体７内の下方は必ずオーバーフロー排出口８が位置することとなり、オーバーフロー排水口２内に溜まり水が残ることがない。
【００２２】
次に本発明の遠隔操作式排水栓装置の第二実施例を、図６を参照しつつ説明する。
本発明の第二実施例は、以下に記載する、槽体Ｓとしての浴槽と、排水栓本体１１、エルボ管、弁体１４、オーバーフロー排水口２を備えた操作部５、ガイド管６、オーバーフロー排水管４、レリースワイヤ３、保持機構部１５、ワイヤー支持具１２、等からなる遠隔操作式排水栓装置と、から構成される。
浴槽は、上方が開口した箱体であって、底部及び側面上部に取付孔を開口する。
排水栓本体１１は、外側面に雄ネジを、内部に排水口１を備え、上端に外側方向に突出したフランジを備えた円筒状の部材であり、内部に後述するワイヤー支持具１２を配置・固定する固定構造を設けた排水口１を備えてなる。
Ｔ字管部材１３は円筒状にして、上方に排水栓本体１１の雄ネジと螺合する雌ネジを、下方に排水を排出する排出口１３ａを、側面に後述するオーバーフロー排水管４が接続されるオーバーフロー接続口１３ｃを、それぞれ備えてなる。
更に、Ｔ字管部材１３はオーバーフロー接続口１３ｃ内に、後述するレリースワイヤ３を挿通する挿通部１３ｂを備えてなる。
弁体１４は、後述する保持機構部１５の軸部の先端部分と係合する、排水口１の上部に配置される部材であって、上昇／下降することで、排水口１を開口／覆って閉口させる部材である。
レリースワイヤ３は、四フッ化エチレンなどの樹脂から構成される円筒状のアウターチューブ３ａと、アウターチューブ３ａ内に進退自在に配置される、コイル状に形成された金属線からなるインナーワイヤ３ｂと、インナーワイヤ３ｂをアウターチューブ３ａに対して一方向（操作部５側）に付勢する戻りスプリングと、から構成される。
ワイヤー支持具１２は、例えばノック式ボールペンの芯の進退の保持機構として周知であるスラストロック機構（図示せず）を内蔵した保持機構部１５を備えた部材であって、施工完了時排水栓本体１１の排水口１内に係合固定される部材である。また、保持機構部１５は内部に軸部を有し、保持機構部１５の下端にレリースワイヤ３が、保持機構部１５の軸部の上端に弁体１４が、それぞれ接続される。施工完了時、インナーワイヤ３ｂが進退する都度、保持機構の軸部が上昇した状態で固定／固定を解除して降下、を繰り返すことで弁体１４を昇降させ、排水口１の開閉を行うことができる。
操作部５は、以下に記載したオーバーフロー排水栓１６と、操作部本体７と、操作ボタン１０と、から構成される。
オーバーフロー排水栓１６は、外側面に雄ネジを、内部にオーバーフロー排水口２を備え、上端に外側方向に突出したフランジを備えた円筒状の部材である。
操作部本体７は、有底円筒状にして、円筒部の内面にオーバーフロー排水栓１６の雄ネジと螺合する雌ネジを、側面に排水を排出する、中心軸が円筒部の中心と交差するオーバーフロー排出口８と、レリースワイヤ３を挿通する、円筒部分７ａの中央からオーバーフロー排出口８内を通過する方向に屈曲してオーバーフロー排出口８内に端部が設けられるガイド筒９をそれぞれ備えてなる。
操作ボタン１０は、レリースワイヤ３のインナーワイヤ３ｂ端部に接続される円形の部材であって、オーバーフロー排水口２内部を、浴槽内の排水が、オーバーフロー排水口２を通過することが可能な状態を維持しつつ進退する。
オーバーフロー排水管４は可撓性を備えたホース管であって、一端は操作部本体７のオーバーフロー排水口２に、他端はＴ字管部材１３のオーバーフロー接続口１３ｃに、それぞれ水密的に接続される。
【００２３】
以上のように構成した本発明の第二実施例の遠隔操作式排水栓装置は、以下のようにして浴槽に施工・取り付けされる。
まず工場等において、ガイド管６の一端を操作部本体７のガイド筒９に水密的に接続する。そしてガイド管６を覆うようにオーバーフロー排水管４を挿通し、操作部本体７のオーバーフロー排出口８に水密的に接続する。
次に、ガイド管６の他端をＴ字管部材１３の挿通部１３ｂに水密的に接続する。その後オーバーフロー排水管４をＴ字管部材１３のオーバーフロー接続口１３ｃに水密的に接続する（即ち、ガイド管６はオーバーフロー排水管４に覆われた状態とする）。この状態にて工場から施工現場に出荷する。
次に、施工現場において、浴槽の上方の取付孔にオーバーフロー排水栓１６を挿通して操作部本体７と螺合させ、また底面の取付孔に排水栓本体１１を挿通してＴ字管部材１３と螺合させて、排水栓本体１１のフランジとＴ字管部材１３、オーバーフロー排水口２のフランジと操作部本体７とでそれぞれの取付孔周縁を挟持するようにして取り付け固定する。
そして、オーバーフロー排水口２からレリースワイヤ３を挿入し、オーバーフロー排水口２内、操作部本体７のガイド筒９、ガイド管６、挿通部１３ｂの順にレリースワイヤ３を通過させて、レリースワイヤ３の一端が排水口１内に飛び出すようにする。
その後、排水口１内のレリースワイヤ３をペンチなどで引き出し、レリースワイヤ３先端とワイヤー支持具１２を、インナーワイヤ３ｂとワイヤー支持具１２の保持機構部１５の軸部下端が対向するように接続固定し、ワイヤー支持具１２を排水口１内の固定構造に係合固定させて排水口１内に配置・固定する。
更にワイヤー支持具１２の軸部上端に弁体１４を、操作部５のレリースワイヤ３のインナーワイヤ３ｂ端部に操作ボタン１０を、それぞれ係合固定させて、取付が終了する。
【００２４】
前記のように取り付けられた第二実施例の遠隔操作式排水栓装置は、段落００１９  に記載した第一実施例と同様の操作を行うことで、排水口１に対し遠隔操作的に排水口１の開閉を行うことができる。
【００２５】
また、第一実施例と同様に、排水口１が閉口状態において、浴槽内に湯水が注がれて湯水が大量に溜まり、オーバーフロー排水口２の下端まで浴槽内の水面が上昇すると、以降、オーバーフロー排水口２から排水が排出され、排水口１の開口を行わなくとも、浴槽内の湯水が浴槽から溢れ出ることが無くなる。
【００２６】
次に本発明の遠隔操作式排水栓装置の第三実施例を、図７を参照しつつ説明する。
本発明の第三実施例は、以下に記載する、槽体Ｓとしての浴槽と、排水栓本体１１、エルボ管、弁体１４、オーバーフロー排水口２を備えた操作部５、ガイド管６、オーバーフロー排水管４、レリースワイヤ３、保持機構部１５、ワイヤー支持具１２、等からなる遠隔操作式排水栓装置と、から構成される。
浴槽は、上方が開口した箱体であって、底部及び側面上部に取付孔を開口する。
排水栓本体１１は、外側面に雄ネジを、内部に排水口１を備え、上端に外側方向に突出したフランジを備えた円筒状の部材であり、内部に後述するワイヤー支持具１２を配置・固定する固定構造を設けた排水口１を備えてなる。
Ｔ字管部材１３は円筒状にして、上方に排水栓本体１１の雄ネジと螺合する雌ネジを、下方に排水を排出する排出口１３ａを、側面に後述するオーバーフロー排水管４が接続されるオーバーフロー接続口１３ｃを、それぞれ備えてなる。
弁体１４は、後述する保持機構部１５の軸部の先端部分と係合する、排水口１の上部に配置される部材であって、上昇／下降することで、排水口１を開口／覆って閉口させる部材である。
レリースワイヤ３は、四フッ化エチレンなどの樹脂から構成される円筒状のアウターチューブ３ａと、アウターチューブ３ａ内に進退自在に配置される、コイル状に形成された金属線からなるインナーワイヤ３ｂと、インナーワイヤ３ｂをアウターチューブ３ａに対して一方向（操作部５側）に付勢する戻りスプリングと、から構成される。
ワイヤー支持具１２は、例えばノック式ボールペンの芯の進退の保持機構として周知であるスラストロック機構（図示せず）を内蔵した保持機構部１５を備えた部材であって、施工完了時排水栓本体１１の排水口１内に係合固定される部材である。また、保持機構部１５は内部に軸部を有し、保持機構部１５の下端にレリースワイヤ３が、保持機構部１５の軸部の上端に弁体１４が、それぞれ接続される。施工完了時、インナーワイヤ３ｂが進退する都度、保持機構部１５の軸部が上昇した状態で固定／固定を解除して降下、を繰り返すことで弁体１４を昇降させ、排水口１の開閉を行うことができる。
操作部５は、以下に記載したオーバーフロー排水栓１６と、操作部本体７と、操作ボタン１０と、から構成される。
オーバーフロー排水栓１６は、外側面に雄ネジを、内部にオーバーフロー排水口２を備え、上端に外側方向に突出したフランジを備えた円筒状の部材である。
操作部本体７は、有底円筒状にして、円筒部の内面にオーバーフロー排水栓１６の雄ネジと螺合する雌ネジを、側面に排水を排出するオーバーフロー排出口８を備えてなる。
操作ボタン１０は、レリースワイヤ３のインナーワイヤ３ｂ端部に接続される円形の部材であって、オーバーフロー排水口２内部を、浴槽内の排水が、オーバーフロー排水口２を通過することが可能な状態を維持しつつ進退する。
オーバーフロー排水管４は可撓性を備えたホース管であって、一端は操作部本体７のオーバーフロー排水口２に、他端はＴ字管部材１３のオーバーフロー接続口１３ｃに、それぞれ水密的に接続される。
【００２７】
以上のように構成した本発明の第三実施例の遠隔操作式排水栓装置は、以下のようにして浴槽に施工・取り付けされる。
まず工場等において、オーバーフロー排水管４の一端を操作部本体７のオーバーフロー排出口８に、他端をＴ字管部材１３のオーバーフロー接続口１３ｃに、それぞれ水密的に接続し、この状態にて出荷する。
次に、施工現場において、浴槽の上方の取付孔にオーバーフロー排水栓１６を挿通して操作部本体７と螺合させ、また底面の取付孔に排水栓本体１１を挿通してＴ字管部材１３と螺合させて、排水栓本体１１のフランジとＴ字管部材１３、オーバーフロー排水口２のフランジと操作部本体７とでそれぞれの取付孔周縁を挟持するようにして取り付け固定する。
そして、オーバーフロー排水口２からレリースワイヤ３を挿入し、オーバーフロー排水口２内、操作部本体７のオーバーフロー排出口８、オーバーフロー排水管４、オーバーフロー接続口１３ｃの順にレリースワイヤ３を通過させて、レリースワイヤ３の一端が排水口１内に飛び出すようにする。
その後、排水口１内のレリースワイヤ３をペンチなどで引き出し、レリースワイヤ３先端とワイヤー支持具１２を、インナーワイヤ３ｂとワイヤー支持具１２の保持機構部１５の軸部下端が対向するように接続固定し、ワイヤー支持具１２を排水口１内の固定構造と係合固定させて排水口１内に配置・固定する。
更にワイヤー支持具１２の軸部上端に弁体１４を、操作部５のレリースワイヤ３のインナーワイヤ３ｂ端部に操作ボタン１０を、それぞれ係合固定させて、取付が終了する。
【００２８】
前記のように取り付けられた第三実施例の遠隔操作式排水栓装置は、段落００１９  に記載した第一実施例と同様の操作を行うことで、排水口１に対し遠隔操作的に排水口１の開閉を行うことができる。
【００２９】
また、第一実施例と同様に、排水口１が閉口状態において、浴槽内に湯水が注がれて湯水が大量に溜まり、オーバーフロー排水口２の下端まで浴槽内の水面が上昇すると、以降、オーバーフロー排水口２から排水が排出され、排水口１の開口を行わなくとも、浴槽内の湯水が浴槽から溢れ出ることが無くなる。
【００３０】
本発明の実施例は以上のようであるが本発明は上記実施例に限定される物ではなく、主旨を変更しない範囲において自由に変更が可能である。例えば、上記第一実施例では、操作部本体７のオーバーフロー排出口８を、円筒部分７ａの軸方向視において、オーバーフロー排出口８が操作部本体７の側面に対し接線位置に設けられてなると共に、操作部本体７の円筒部分７ａに接する部分のオーバーフロー排出口８の内径の幅、即ちオーバーフロー排出口８の内面の直径が、操作部本体７の円筒部分７ａの内面の半径よりも幅広となるように構成しているが、図８に示したように、オーバーフロー排出口８の中心軸が、オーバーフロー排水口２の中心を通る位置に構成しても構わない。但しこのように構成した場合、ガイド筒９を備えた操作部本体７において、オーバーフロー排出口８が下方を向いて接続固定された場合は特に問題は無いが、図９に示したように誤って安定方向に接続固定された場合、下方にはオーバーフロー排出口８が無く、円筒部分７ａの窪みが生じ、この窪みに溜まり水Ｗが溜まって腐敗を生じるなど不衛生な状態が生じる場合があり注意が必要である。
【００３１】
また、図１０に示したように、オーバーフロー排出口８が操作部本体７の側面に対し接線位置に設けられてなるが、オーバーフロー排出口８の内径の幅、即ちオーバーフロー排出口８の内面の直径が、操作部本体７の円筒部分７ａの内面の半径よりも幅狭となるように構成してもよい。但しこのように構成した場合、図１０に示したように操作部本体７は必ず安定方向に接続固定する必要がある。図１０に示したように、オーバーフロー排出口８の中心軸が下方を向くように接続固定されると、円筒部分７ａの下端に窪みが生じ、この窪みに溜まり水Ｗが溜まって腐敗を生じるなど不衛生な状態が生じる場合があり注意が必要である。よって、できれば第一実施例のように、操作部本体７のオーバーフロー排出口８を、円筒部分７ａの軸方向視において、オーバーフロー排出口８が操作部本体７の側面に対し接線位置に設けられてなると共に、操作部本体７の円筒部分７ａに接する部分のオーバーフロー排出口８の内径の幅、即ちオーバーフロー排出口８の内面の直径が、操作部本体７の円筒部分７ａの内面の半径よりも幅広となるように構成することが望ましい。
【００３２】
また、図１１に示したように、オーバーフロー排出口８の中心軸が、オーバーフロー排水口２の中心を通る位置に構成すると共に、ガイド筒９を円筒部外で屈曲させ、オーバーフロー排出口８とガイド筒９とが、操作部本体７外の端部において同一の方向を向くように構成しても良い。この構造では、誤って安定方向に接続固定された場合、下方にはオーバーフロー排出口８が無く、円筒部分７ａの窪みが生じ、この窪みに水が溜まって腐敗を生じるなど不衛生な状態が生じる場合があるが、オーバーフロー排出口８とガイド筒９とが同じ方向を向くため、作業者が、「オーバーフロー排出口８とガイド筒９の両方が向く方向が下」と認識し易くなり、誤った施工が成される可能性を減少することができる。
【図面の簡単な説明】
【００３３】
【図１】本発明の第一実施例の閉口状態を示す一部を切り欠きした参考図である。
【図２】本発明の第一実施例の開口状態を示す一部を切り欠きした参考図である。
【図３】第一実施例の操作部本体のＡ−Ａ’断面図である。
【図４】第一実施例の操作部本体の、安定状態でのＡ−Ａ’断面図である。
【図５】第一実施例のＴ字管部材周辺の、Ｂ−Ｂ’断面図である。
【図６】本発明の第二実施例の開口状態を示す一部切り欠きした参考図である。
【図７】本発明の第三実施例の開口状態を示す一部切り欠きした参考図である。
【図８】段落００３０の実施例の、オーバーフロー排水口が下方を向いた状態での操作部本体の図３と同じ位置における断面を示す参考図である。
【図９】段落００３０の実施例の、安定状態での操作部本体の図３と同じ位置における断面を示す参考図である。
【図１０】段落００３１の実施例の、安定状態での操作部本体の図３と同じ位置における断面を示す参考図である。
【図１１】段落００３１の実施例の、オーバーフロー排水口が下方を向いた状態での操作部本体の図３と同じ位置における断面を示す参考図である。
【図１２】段落００３２の実施例の、オーバーフロー排水口が下方を向いた状態での操作部本体の図３と同じ位置における断面を示す参考図である。
【図１３】従来の遠隔操作式排水栓装置の一部切り欠きした参考図である。
【符号の説明】
【００３４】
１      排水口                        ２      オーバーフロー排水口
３      レリースワイヤ                ３ａ    アウターチューブ
３ｂ    インナーワイヤ                ４      オーバーフロー排水管
５      操作部                        ６      ガイド管
７      操作部本体                    ７ａ    円筒部分
８      オーバーフロー排出口          ９      ガイド筒
１０    操作ボタン                    １１    排水栓本体
１２    ワイヤー支持具                １３    Ｔ字管部材
１３ａ  排出口                        １３ｂ  挿通部
１３ｃ  オーバーフロー接続口          １４    弁体
１５    保持機構部                    １６    オーバーフロー排水栓
Ｓ      槽体                          Ｗ      溜まり水
【図１】
2010116711.tif 000003
【図２】
2010116711.tif 000004
【図３】
2010116711.tif 000005
【図４】
2010116711.tif 000006
【図５】
2010116711.tif 000007
【図６】
2010116711.tif 000008
【図７】
2010116711.tif 000009
【図８】
2010116711.tif 000010
【図９】
2010116711.tif 000011
【図１０】
2010116711.tif 000012
【図１１】
2010116711.tif 000013
【図１２】
2010116711.tif 000014
【図１３】
2010116711.tif 000015